【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
方法であって、前記方法は、
ゲートウェイにより、帯域幅認識ルーティングプロトコルおよび第１のチャネルを使用してソースノードと宛先ノードとの間の第１のルートを選択するステップと、
前記ゲートウェイにより、前記選択された第１のルートが前記ソースノードのアプリケーションの帯域幅要件を満たすかどうかを決定するステップと、
前記ゲートウェイにより、前記アプリケーションの前記帯域幅要件が前記選択されたルートによって満たされていない場合、バックアップチャネルリストから選択された第２のチャネルへの切り替えを開始するステップと、
前記ゲートウェイにより、前記帯域幅認識ルーティングプロトコルを使用して、前記第２のチャネルを通じた第２のルートを選択するステップと、
前記ゲートウェイにより、前記第２のチャネルを通じた前記選択された第２のルートが前記ソースノードの前記アプリケーションの前記帯域幅要件を満たすかどうかを決定するステップと、
前記選択された第１のルートが前記アプリケーションの前記帯域幅要件を満たす場合は前記第１のチャネルを通じて、または、前記選択された第２のルートが前記アプリケーションの前記帯域幅要件を満たす場合は前記第２のチャネルを通じて、前記ソースノードから前記宛先ノードまでデータをストリームするステップと、
を含む、前記方法。
【請求項２】
前記選択された第１のルート、または、前記選択された第２のルートの帯域幅情報を定期的に更新するステップと、
前記更新された帯域幅情報を使用して、前記アプリケーションの前記帯域幅要件が満たされ続けているかどうかを決定するステップと、
前記アプリケーションの前記帯域幅要件がもはや満たされていない場合、第３のルートを選択するステップと、
見つけられる、前記帯域幅要件を満たすルートがない場合、前記ソースノードの前記アプリケーションに通知するステップと、
前記アプリケーションの前記帯域幅要件が満たされ続けている場合、または、前記選択された第３のルートが前記アプリケーションの前記帯域幅要件を満たす場合、データをストリームし続けるステップと、
をさらに含む、請求項１に記載の方法。
【請求項３】
拡張サービスセット識別子、ならびに、負荷情報および使用可能な帯域幅情報のうちの１つを受信するステップと、
合計平均負荷または使用可能な帯域幅に従って、バックアップチャネルリストのための複数のバックアップチャネルを選択するステップと、
前記バックアップチャネルリストをブロードキャストするステップと、
をさらに含む、請求項２に記載の方法。
【請求項４】
装置であって、
帯域幅認識ルーティングプロトコルおよび第１のチャネルを使用して、ソースノードと宛先ノードとの間の第１のルートを選択する手段と、
前記選択された第１のルートが前記ソースノードのアプリケーションの帯域幅要件を満たすかどうかを決定する手段と、
前記アプリケーションの前記帯域幅要件が前記選択されたルートによって満たされていない場合、バックアップチャネルリストから選択された第２のチャネルへの切り替えを開始する手段と、
前記帯域幅認識ルーティングプロトコルを使用して、前記第２のチャネルを通じた第２のルートを選択する手段と、
前記第２のチャネルを通じた前記選択された第２のルートが前記ソースノードの前記アプリケーションの前記帯域幅要件を満たすかどうかを決定する手段と、
前記選択された第１のルートが前記アプリケーションの前記帯域幅要件を満たす場合は前記第１のチャネルを通じて、または、前記選択された第２のルートが前記アプリケーションの前記帯域幅要件を満たす場合は前記第２のチャネルを通じて、前記ソースノードから前記宛先ノードまでデータをストリームする手段と、を含み、前記装置はゲートウェイである、
前記装置。
【請求項５】
前記選択された第１のルート、または、前記選択された第２のルートの帯域幅情報を定期的に更新する手段と、
前記更新された帯域幅情報を使用して、前記アプリケーションの前記帯域幅要件が満たされ続けているかどうかを決定する手段と、
前記アプリケーションの前記帯域幅要件がもはや満たされていない場合、第３のルートを選択する手段と、
見つけられる、前記帯域幅要件を満たすルートがない場合、前記ソースノードの前記アプリケーションに通知する手段と、
前記アプリケーションの前記帯域幅要件が満たされ続けている場合、または、前記選択された第３のルートが前記アプリケーションの前記帯域幅要件が満たされる場合、データをストリームし続ける手段と、
をさらに含む、請求項４に記載の装置。
【請求項６】
拡張サービスセット識別子、ならびに、負荷情報および使用可能な帯域幅情報のうちの１つを受信する手段と、
合計平均負荷、または、使用可能な帯域幅に従って、バックアップチャネルリストのための複数のバックアップチャネルを選択する手段と、
前記バックアップチャネルリストをブロードキャストする手段と、
をさらに含む、請求項５に記載の装置。
【請求項７】
ノードを動作するための方法であって、
チャネルをスキャンして、前記チャネルを使用した前記ノードの各隣接ノードに対し、チャネル情報、ならびに、拡張サービスセット識別子および負荷情報を取得するステップと、
ビーコンメッセージにおいて、前記ノードの拡張サービスセット識別子および前記ノードの前記隣接ノードの拡張サービスセット識別子をブロードキャストするステップと、
バックアップチャネルリストを更新する情報を受信するステップと、
を含む、前記方法。
【請求項８】
前記チャネルが、前記チャネルを使用する前記ノードの隣接ノードによって使用されていない時間の断片を推定するステップと、
前記ノードの隣接ノード間の伝送レートを推定するステップと、
前記ノードの隣接ノード間で使用可能な帯域幅を推定するステップと、
ビーコンメッセージにおいて、各隣接ノードのための前記負荷情報をブロードキャストするステップと、
をさらに含む、請求項７に記載の方法。
【請求項９】
データパケットのための処理時間を推定するステップと、
前記ノードから各隣接ノードまでの前記データパケットについての往復時間を推定するステップと、
前記データパケットのキュー時間を推定するステップと、
前記ノードの各隣接ノードの前記データパケットについての伝送時間を推定するステップと、
前記処理時間、前記キュー時間、前記往復時間、および、前記伝送時間を使用して、前記ノードと前記ノードの各隣接ノードとの間で使用可能な帯域幅を推定するステップと、
ビーコンメッセージにおいて、各隣接ノードのための前記使用可能な帯域幅をブロードキャストするステップと、
をさらに含む、請求項７に記載の方法。
【請求項１０】
ノードであって、
チャネルをスキャンして、前記チャネルを使用した前記ノードの各隣接ノードに対し、チャネル情報、ならびに、拡張サービスセット識別子および負荷情報を取得する手段と、
ビーコンメッセージにおいて、前記ノードの拡張サービスセット識別子、および、前記ノードの前記隣接ノードの拡張サービスセット識別子をブロードキャストする手段と、
バックアップチャネルリストを更新する情報を受信する手段と、
を含む、前記ノード。
【請求項１１】
前記チャネルが、前記チャネルを使用する前記ノードの隣接ノードによって使用されていない時間の断片を推定する手段と、
前記ノードの隣接ノード間の伝送レートを推定する手段と、
前記ノードの隣接ノード間で使用可能な帯域幅を推定する手段と、
ビーコンメッセージにおいて、各隣接ノードのための前記負荷情報をブロードキャストする手段と、
をさらに含む、請求項１０に記載のノード。
【請求項１２】
データパケットのための処理時間を推定する手段と、
前記ノードから各隣接ノードまでの前記データパケットについての往復時間を推定する手段と、
前記データパケットについてのキュー時間を推定する手段と、
前記ノードの各隣接ノードの前記データパケットについての伝送時間を推定する手段と、
前記処理時間、前記キュー時間、前記往復時間および前記伝送時間を使用して、前記ノードと前記ノードの各隣接ノードとの間で使用可能な帯域幅を推定する手段と、
ビーコンメッセージにおいて、各隣接ノードのための前記使用可能な帯域幅をブロードキャストする手段と、
をさらに含む、請求項１０に記載のノード。